(57)【要約】【課題】電源遮断時に選択されていたモードを再起動時において再び最初から選択する操作を省略することができる操作性の良い生体情報収集装置を提供すること。【解決手段】生体情報の収集および収集した生体情報の処理を行う機能を複数のモードを遷移させて選択する生体情報収集装置であって、選択したモードを特定するモード情報を記憶する手段と、前記モード情報を参照して特定したモードで再起動させる手段とを備える生体情報収集装置を提供する。【選択図】図１
2006102308.tif 000002
【特許請求の範囲】
【請求項１】
生体情報の収集および収集した生体情報の処理を行う機能を複数のモードを遷移させて選択する生体情報収集装置であって、
遷移させたモードを特定するモード情報を記憶する手段と、
前記モード情報を参照して特定したモードで再起動させる手段と、
を備える生体情報収集装置。
【請求項２】
再起動時のモードの特定を外部からの指示により開始させる手段を備える請求項１記載の生体情報収集装置。
【発明の詳細な説明】
【技術分野】
【０００１】
本発明は、患者及びその家族が家庭に居ながらにして各種測定機器により自分自身及び患者の生体の様々な情報を採取し、その情報を健康管理に用いる、あるいは病院に伝送することにより医師による遠隔診断を行うことを可能とする生体情報収集装置に関するものである。
【背景技術】
【０００２】
従来より、各種医療用具を用いることにより自分自身あるいは患者の様々な生体情報を採取し、その生体情報を用いて健康管理を行う、あるいはそうして得られた生体情報を病院等に伝送することにより医師等による遠隔診療を実現するという生体情報収集装置が考案されている。
【０００３】
このような機器を用いることにより患者の側にとっては、病院等に出向いて体温、血圧等の生体情報を測定する必要を回避することが可能となり、身体への負担の低減と拘束時間の低減が可能となる。また、医師等の側にとっても一人の患者の診療にかけることのできる診療時間を短縮することが可能となり、診療の質的な向上が可能となる。すなわち、従来の医療行為と比較すると、患者と医師等の双方にとっての利便性の向上を可能とするという特徴を有するものである。
【０００４】
また、通院診療と遜色のない遠隔診療を実現するために、生体情報収集装置に複数の機能が加えられている。例えば、数値結果で表現困難である顔色や傷具合、皮膚状態等の生体情報を医師側に伝えるため、カメラユニットを搭載した生体情報収集装置などが考案されている（特許文献１）。
【特許文献１】特開２００２−３４９３５号公報
【発明の開示】
【発明が解決しようとする課題】
【０００５】
上述のようにカメラユニットなど多くの機能が生体情報収集装置に搭載され、これに伴い目的とする機能を実行させるために必要とされる操作の回数も多くなる。複数の機能から目的とする機能を容易に選択する技術として、一般に、各機能を表したメニューから目的の機能を選択する手段があるが、機能の複雑化に伴いメニューを構成するモードの階層も多くなる。
【０００６】
このような生体情報収集装置において、目的の機能を選択している最中に、停電等の不測な事態により不用意に電源が遮断されると、これまで行っていた操作が無効になるため、電源復帰後の再起動時には最初から選択操作を開始しなければならない。また、本体の電源投入時には、電源遮断前に選択されていた機能が起動することはなく、初期状態であるメニューが起動するため、電源遮断前に選択した機能を実行したい場合は、再度、機能を選択するという操作を強いられる。
【０００７】
本発明は、上記事情に鑑みてなされたもので、電源投入時に電源遮断前の状態に復帰させることができる生体情報収集装置を提供することを目的とする。
【課題を解決するための手段】
【０００８】
本発明の生体情報収集装置は、生体情報の収集および収集した生体情報の処理を行う機能を複数のモードを遷移させて選択する生体情報収集装置であって、遷移させたモードを特定するモード情報を記憶する手段と、前記モード情報を参照して特定したモードで再起動させる手段とを備える。
【０００９】
この構成によれば、前記記憶部に記憶されたモード情報を参照して特定したモードで再起動させることで、電源投入時に電源遮断前の状態に復帰させることができる。これにより、停電などの不測の事態により不用意に電源が遮断された場合であっても、再起動時に、電源遮断時に選択していたモードを実行させることができる。
【００１０】
さらに、本発明の生体情報収集装置は、再起動時のモードの特定を外部からの指示により開始させる手段を備える。
【００１１】
この構成によれば、電源遮断前の状態への復帰を外部指示で開始させることができるため、不用意に電源遮断前の状態に復帰させてしまうことがない。
【発明の効果】
【００１２】
本発明によれば、実行中のモードを特定するモード情報を参照して特定したモードで再起動させることで、電源投入時に電源遮断前の状態に復帰させることができる。
【発明を実施するための最良の形態】
【００１３】
（第１の実施の形態）
以下、本発明の第１の実施の形態について、図面を用いて説明する。
図１に本発明の第１の実施の形態における生体情報収集装置の斜視図を示す。
【００１４】
図１において、生体情報収集装置本体１は、本体１と医療用具とを接続する接続部３と、数字や文字等を入力する又はモードを遷移させ所望の機能を選択する際に使用されるスイッチ部４と、ＬＣＤ等で構成された表示部５と、その周囲を支える樹脂製のフレーム６とを有する構成である。
【００１５】
各モードには生体情報収集に関連する機能が装置の使用目的に応じて分類されて備わっている。例えば、生体情報を計測する際に使用される機能が組み合わされた測定モードがある。また、測定する生体情報により、血圧測定モード、体重測定モード、心電図測定モードなどがある。他には、遠隔診療の際に使用される機能を組み合わせたモードである遠隔診療モード、医師からの診断結果を管理する際に使用される機能を組み合わせたモードであるデータ管理モードなどがある。
【００１６】
接続部３は、生体情報収集装置本体１と各種生体情報等を計測する為の体温計、あるいは血圧計等の医療用具とを接続し、生体情報等の送受信を可能とするものである。スイッチ部４は、複数のモードを遷移させて所望の機能を選択する場合、あるいは生体情報等を伝送する場合、医師等からの質問等に回答する際に用いられる数字や文字等を入力する場合等に使用されるものである。
【００１７】
図２に本発明の第１の実施の形態における生体情報収集装置の背面図を示す。
図２において、送受信部７は信号線等を用いて電話回線等の一般公衆回線と接続し、生体情報等を病院等に勤務している医師等に送信する、あるいはその医師等からの情報や指示、アドバイス等を受信する際に使用されるものである。電源コード８は生体情報収集装置本体１と商用電源を接続させるときに使用されるものである。
【００１８】
図３に医療用具の一例（血圧計９）を示す。
図３において、血圧計９は、その本体部分に測定ボタン１０、及び測定した生体情報のデータを生体情報収集装置本体１に送信する送信ボタン１１を有している。さらに、測定する場合に患者の上腕部に装着する部分である装着部１２と、生体情報収集装置本体１の接続部３とリード線１３を介して接続される送信部１４（図示せず）も有する構成となっている。
【００１９】
図４に生体情報収集装置の各部の接続関係を示す。
図４において、制御部１５は、複数の電子部品により構成されており、スイッチ部４、表示部５、記憶部１７の動作を制御するものである。電源部１６は、電源コード８から供給される電力を低電圧の電力に変換した後、制御部１５に供給する。不揮発性メモリで構成される記憶部１７には現在選択されているモードを特定するモード情報等が記憶されている。例えば、前記不揮発性メモリとしてはフラッシュメモリ等の半導体メモリ又は磁気ディスクを利用した記憶媒体等がある。制御部１５は、現在選択されているモードを特定する前記モード情報を記憶部１７に記憶する制御を行う。また、制御部１５は、記憶部１７に記憶されている前記モード情報を参照して電源遮断時に選択されていたモードで再起動する制御等を行っている。
【００２０】
以上のように構成された生体情報収集装置について、以下にその動作を説明する。使用者が前記生体情報収集装置を用いて血圧測定を行っていた場合を想定して説明する。
【００２１】
まず、使用者は生体情報収集装置本体１を起動する。次に使用者は、予め設定された操作手順に従いスイッチ部４を操作することで、複数のモードを遷移させて血圧測定モードを選択する。その後、血圧計の装着部１２を上腕等に装着し、本体１の接続部３を介して血圧計９と本体１を接続する。このとき、血圧計９は本体１に接続される。
【００２２】
使用者は、血圧計９の装着部１２が患者の上腕の適切な部分に装着されていることを確認し測定ボタン１０を操作する。すると、血圧計９内のポンプが装着部１２内へ空気の注入を開始し、装着部１２内が加圧され、測定が開始される。
【００２３】
ここで、使用者が血圧測定中に誤って本体１の電源を遮断してしまった、又は測定途中に停電が生じた場合を想定する。このとき、電源コード８から供給される電力が途絶えるため、電源部１６から制御部１５に供給される低電圧の電力もまた同様に途絶えてしまう。
【００２４】
しかし、記憶部１７には電源遮断時に選択されていたモード（この場合は、血圧測定モード）を特定するモード情報が記憶されている。
【００２５】
また、本体１の電源が再び接続したとき、制御部１５は記憶部１７に記憶されている前記モード情報を参照して電源遮断時に選択されていたモードで再起動する制御を行う。
【００２６】
このように、第１の実施の形態の生体情報収集装置によれば、モードを示すモード情報を参照して特定したモードで再起動させることで、電源投入時に電源遮断前の状態に復帰させることができる。これにより、停電などの不測の事態により不用意に電源が遮断された場合であっても、再起動時に、電源遮断時に実行していたモードを実行させることができる。
【００２７】
なお、上記説明では、接続部３の数については言及していないが、接続部が複数個存在し、各接続部に接続される医療機器に対応したモードを選択・実行する操作手順が複雑である生体情報収集装置において前記構成を実現すると、効果は大きい。
【００２８】
（第２の実施の形態）
次に、本発明の第２の実施の形態について図面を用いて説明する。
図５に、本発明の第２の実施の形態の生体情報収集装置の斜視図を示す。
【００２９】
図５において、生体情報収集装置本体１は、生体情報等の送受信を可能とする接続部３と、数字や文字等を入力する際に使用されるスイッチ部４と、ＬＣＤ等で構成された表示部５と、その周囲を支える樹脂製のフレーム６と予め特定されているモードを直接選択することができる操作部１８を有する構成である。
【００３０】
図６に生体情報収集装置の各部の接続関係を示す。
図６において、制御部１５は、複数の電子部品により構成されており、スイッチ部４、表示部５、記憶部１７、操作部１８の動作を制御するものである。電源部１６は、電源コード８から供給される電力を低電圧の電力に変換した後、制御部１５に供給する。
【００３１】
記憶部１７には現在選択されているモードを特定するモード情報等が記憶されている。前記モード情報は不揮発性メモリで構成される記憶部１７に記憶される。例えば、前記不揮発性メモリとしてはフラッシュメモリ等の半導体メモリ又は磁気ディスクを利用した記憶媒体等がある。
【００３２】
制御部１５は、現在選択されているモードを特定するモード情報を記憶部１７に記憶する制御を行う。また、前記記憶部１７に記憶されている前記モード情報を参照して電源遮断時に選択されていたモードを特定する制御を行う。また、操作部１８が操作されたことを検出したとき、前記モード情報を参照して特定されたモード選択する制御を行う。
【００３３】
以上のように構成された生体情報収集装置について、以下にその動作を説明する。使用者が前記生体情報収集装置を用いて血圧測定を行っていた場合を想定して説明する。
【００３４】
まず、使用者は生体情報収集装置本体１を起動する。次に、血圧計の装着部１３を上腕等に装着し、本体１の接続部３により、血圧計２と本体１を接続する。このとき、血圧計１０は本体１に接続される。
【００３５】
使用者は、血圧計９の装着部１２が患者の上腕の適切な部分に装着されていることを確認し測定ボタン１０を操作する。すると、血圧計９内のポンプが装着部１２内へ空気の注入を開始し、装着部１２内が加圧され、測定が開始される。
【００３６】
ここで、使用者が血圧測定中に誤って本体１の電源を切断してしまった、又は測定途中に停電が生じた場合を想定する。このとき、電源コード８から供給される電力が途絶えるため、電源部１６から制御部１５に供給される低電圧の電力もまた同様に途絶えてしまう。
【００３７】
しかし、記憶部１７には電源遮断時に選択されていたモード（この場合は、血圧測定モード）を特定するモード情報が記憶されている。
【００３８】
また、制御部１５は前記記憶部に記憶されている前記モード情報を参照して電源遮断時に実行されていたモードを特定する制御を行う。また再起動時に、操作部１８が操作されたことを検出すると、前記モード情報を参照して特定されたモード選択する制御を行う。
【００３９】
この構成によれば、再起動時のモードの特定を外部からの指示により開始させる手段を備えているので、電源遮断前の状態への復帰を外部指示で開始させることができるため、不用意に電源遮断前の状態に復帰させてしまうことがない。
【００４０】
なお、図５において、操作部は押しボタンとして例示されているが、本発明は何らこれに限定されるものではない。例えば、押しボタンに代えて表示部６に所定のマークを表示させ、そのマークを選択するなどして特定のモードを直接選択する構成であってもその効果は同等である。
【００４１】
なお、上記説明では、接続部３の数については言及していないが、接続部が複数個存在し、各接続部に接続される医療機器に対応したモードを選択・実行する操作手順が複雑である生体情報収集装置において前記構成を実現すると、効果は大きい。
【産業上の利用可能性】
【００４２】
本発明の生体情報収集装置は、不測の事態により不用意に電源が遮断された場合であっても、再び最初から電源遮断時に選択されていたモードを選択する操作を省略することができ操作性が良いという効果を有し、患者及びその家族が家庭に居ながらにして各種測定機器により自分自身及び患者の生体の様々な情報を採取し、その情報を健康管理に用いる、あるいは病院に伝送することにより医師による遠隔診断を行うことを可能とする生体情報収集装置として有用である。
【図面の簡単な説明】
【００４３】
【図１】本発明の第１の実施の形態の生体情報収集装置を示す斜視図
【図２】本発明の第１の実施の形態の生体情報収集装置を示す背面図
【図３】医療用具の一例（血圧計）を示す外観図
【図４】本発明の第１の実施の形態の生体情報収集装置の各部の接続関係を示す図
【図５】本発明の第２の実施の形態の生体情報収集装置を示す斜視図
【図６】本発明の第２の実施の形態の生体情報収集装置の各部の接続関係を示す図
【符号の説明】
【００４４】
１  生体情報収集装置本体
３  接続部
４  スイッチ部
５  表示部
６  フレーム
７  送受信部
８  電源コード
９  血圧計
１５  制御部
１６  電源部
１７  記憶部
１８  操作部
【図１】
2006102308.tif 000003
【図２】
2006102308.tif 000004
【図３】
2006102308.tif 000005
【図４】
2006102308.tif 000006
【図５】
2006102308.tif 000007
【図６】
2006102308.tif 000008